(57)【要約】【課題】スポット残りを防止することができる陰極線管表示装置を回路の構成や制御の手順を複雑にすることなく提供することである。【解決手段】陰極線管表示装置を、画像を表示する動作をする陰極線管７と、電源キー１１による電源をオン、オフする操作に応じて陰極線管７の動作の開始及び停止を制御する制御用マイコン１と、陰極線管７に白色背景画像を出力させるように動作する映像信号処理回路２を備える構成とする。映像信号処理回路２は、データ通信バス１０によって制御用マイコン１に接続されており、白色に表示することを内容とする動作指示データが制御用マイコン１より入力されると、陰極線管７に白色背景画像を出力するように動作する。そして、陰極線管表示装置が定常動作状態にあり、電源オフする操作がされると、制御用マイコン１は、映像信号処理回路２に動作指示データを出力して陰極線管７に白色背景画像を表示させた後に陰極線管７の動作を停止させる。【選択図】  図１
2004289653.tif 000002
【特許請求の範囲】
【請求項１】
ヒータに一定電圧値以上の電圧が一定時間印加されて電子銃が加熱されることにより定常動作状態となる陰極線管と、電源をオン、オフする操作に応じて前記陰極線管の動作の開始及び停止を制御する制御用マイコンと、前記陰極線管の画面に出力する内容に応じた色信号を形成する映像信号処理回路とを備え、
前記映像信号処理回路は、ディジタルデータ伝送路によって前記制御用マイコンに接続されており、画面全体を白色に表示することを内容とする動作指示データが前記制御用マイコンより入力されると、前記陰極線管の画面に白色背景画像を出力するように動作し、
前記制御用マイコンは、
前記電源オフする操作がされると、前記ヒータに一定電圧値以上の電圧が一定時間以上印加されて前記陰極線管が定常動作状態にあるか否か検出し、
前記陰極線管が定常動作状態にあることを検出した場合に、前記映像信号処理回路に前記動作指示データを出力し、前記陰極線管に白色背景画像を出力させた後に前記陰極線管の動作を停止させるとともに、
前記陰極線管が定常動作状態にあることを検出しなかった場合には、前記映像信号処理回路をぺデスタルレベルで動作させた後に前記陰極線管の動作を停止させるように構成された陰極線管表示装置。
【請求項２】
前記ディジタルデータ伝送路がデータ伝送路とクロック伝送路とを備えてなるＩ２Ｃ通信バスであり、
前記制御用マイコンは、前記映像信号処理回路が前記動作指示データを受信したことを検出できる請求項１に記載の陰極線管表示装置。
【請求項３】
前記映像信号処理回路は、陰極線管に画像を出力させる輝度を抑制する機能を備えており、
前記陰極線管に白色背景画像を出力させるにあたり、前記輝度を抑制する動作が緩和されるように制御される請求項１又は２に記載の陰極線管表示装置。
【請求項４】
前記制御用マイコンは、陰極線管の画面に画像を出力する際に走査される電子ビームを前記画面の上下方向に沿って走査させる基準となる垂直同期信号を検出して、前記動作指示データを前記映像処理回路に出力する請求項１乃至３のいずれかに記載の陰極線管表示装置。
【発明の詳細な説明】
【０００１】
【発明の属する技術分野】
本発明は、陰極線管を備えるテレビ受像機等の陰極線管表示装置に関する。
【０００２】
【従来の技術】
陰極線管を備える陰極線管表示装置は、陰極線管の画面に画像を表示するように動作する。この陰極線管に画像を表示するにあたり、陰極線管に高電圧を印加して電子ビームを加速させ、この電子ビームが陰極線管の画面に衝突して発光することにより画像が形成される。
【０００３】
ところで、陰極線管表示装置の電源をオフして動作を停止させようとすると、いわゆるスポット残りと呼ばれる稲妻状の発光が画面に現れることがある。即ち、陰極線管には上記電子ビームを加速するための高電圧が印加されていたため、陰極線管の内外部導電被膜に形成されるコンデンサに残存する電荷等の影響により、電源オフした後にも電子ビームの加速を生じて画面を発光させることがある。
【０００４】
このような、電源オフした後に生ずる画面の発光は、見た目に悪く視聴者に不快な印象を与える。従って、従来のテレビ受像機には、上記スポット残りを防止するように構成されたものがあった（例えば、実用新案登録文献１参照。）。
【０００５】
【実用新案登録文献１】
実開平４−２１６９号公報。
【０００６】
【発明が解決しようとする課題】
しかし、従来のテレビ受像機にあっては、スポット残りを防止するための回路が多くの回路素子によって構成されており、複雑な構成となっていた。
【０００７】
そこで、本発明は、回路の構成や制御の手順を複雑にすることなく、スポット残りを防止することができる陰極線管表示装置を提供することを目的とする。
【０００８】
【課題を解決するための手段】
上記課題を解決するため、本発明は、ヒータに一定電圧値以上の電圧が一定時間印加されて電子銃が加熱されることにより定常動作状態となる陰極線管と、電源をオン、オフする操作に応じて前記陰極線管の動作の開始及び停止を制御する制御用マイコンと、前記陰極線管の画面に出力する内容に応じた色信号を形成する映像信号処理回路とを備え、
前記映像信号処理回路は、ディジタルデータ伝送路によって前記制御用マイコンに接続されており、画面全体を白色に表示することを内容とする動作指示データが前記制御用マイコンより入力されると、前記陰極線管の画面に白色背景画像を出力するように動作し、
前記制御用マイコンは、
前記電源オフする操作がされると、前記ヒータに一定電圧値以上の電圧が一定時間以上印加されて前記陰極線管が定常動作状態にあるか否か検出し、
前記陰極線管が定常動作状態にあることを検出した場合に、前記映像信号処理回路に前記動作指示データを出力し、前記陰極線管に白色背景画像を出力させた後に前記陰極線管の動作を停止させるとともに、
前記陰極線管が定常動作状態にあることを検出しなかった場合には、前記映像信号処理回路をぺデスタルレベルで動作させた後に前記陰極線管の動作を停止させるように構成された陰極線管表示装置である（請求項１）。
【０００９】
本発明の陰極線管表示装置によると、陰極線管が定常動作状態にある場合には、電源オフする操作がされると、前記制御用マイコンは、ディジタルデータ伝送路を介して映像信号処理回路を制御して陰極線管に白色背景画像を出力させ、その後に電源オフする制御を行う。これにより、回路の構成や制御の手順を複雑にすることなく、スポット残りの発生を防ぐことができる。
【００１０】
また、陰極線管表示装置が定常動作状態にない場合、即ち電源オンされた直後の前記陰極線管を安定して動作させ得ない状態にある場合には、前記制御用マイコンは、映像信号処理回路を前記白色背景表示画像を出力させることなく、ペデスタルレベルで動作させた後に電源オフするように制御する。これにより、陰極線管表示装置が定常動作状態にない場合には、電源オフする操作がされると、簡易な処理によって速やかに電源オフされる。
【００１１】
また、前記ディジタルデータ伝送路をデータ伝送路とクロック伝送路とを備えてなるＩ２Ｃ通信バスとし、
前記制御用マイコンは、前記映像信号処理回路が前記動作指示データを受信したことを検出できるように構成することができる（請求項２）。
【００１２】
この発明によると、制御用マイコンは映像信号処理回路が動作指示データを受信したか否か検出できるので、映像信号処理回路を白色背景画像を出力させるようにより確実に動作させることができ、スポット残りの発生を確実に防止することができる。
【００１３】
また、前記映像信号処理回路が陰極線管に画像を出力させる輝度を抑制する機能を備える場合に、
前記陰極線管に白色背景画像を出力させるにあたり、前記映像信号処理回路を輝度を抑制する動作を緩和させるように制御することができる（請求項３）。
【００１４】
これにより、前記映像信号処理回路に白色背景画像を出力するように動作させるにあたり、輝度の抑制を緩和させ、より明るい白色背景画像を出力させることができる。これにより、スポット残りの発生をより確実に防止することができる。
【００１５】
また、上記陰極線管表示装置について（請求項１乃至３）、前記記制御用マイコンが、陰極線管の画面に画像を出力する際に走査される電子ビームを前記画面の上下方向に沿って走査させる基準となる垂直同期信号を検出して、前記動作指示データを前記映像処理回路に出力するように構成することができる（請求項４）。
【００１６】
これにより、映像信号処理回路を前記垂直同期信号のタイミングに合わせて動作させ、前記電子ビームが陰極線管の画面の上下方向に沿って走査されるタイミングに合わせて陰極線管に白色背景画像を出力させることができる。これにより、前記白色背景画像を陰極線管の画面の上端部又は下端部に出力させることができる。これにより、この陰極線管表示装置を使用する視聴者の視界に入り難い画面の上端部又は下端部に白色背景画像を出力させることができる。
【００１７】
【発明の実施の形態】
以下、本発明の実施の形態について、図１、図２に基づいて説明する。図１は、本発明の一実施形態の構成の概略を示すブロック図であり、本発明にかかる陰極線管表示装置の構成の概略を示すブロック図である。
【００１８】
図１に示される陰極線管表示装置は、操作キー１１と、操作判別手段１２と、制御用マイクロコンピュータ（以下、「制御用マイコン」という）１と、映像信号処理回路２と、色信号増幅回路３と、高圧発生回路５と、陰極線管（ＣＲＴ）７と、電源回路８とを備えている。
【００１９】
操作キー１１には、この陰極線管表示装置を動作させるための電源をオン（ＯＮ）、オフ（ＯＦＦ）させる電源キー１１ａが設けられている。この陰極線管表示装置により、陰極線管７に出力される映像を視聴する視聴者が操作キー１１を操作すると、その操作の内容は操作判別手段１２により判別される。また、電源キー１１ａにより電源をオン又はオフさせる操作がされると、操作判別手段１２が電源オンされたか又は電源オフされたかを判別する。
【００２０】
操作判別手段１２が操作部１１に対する操作の内容を判別すると、操作の内容を表す操作信号が操作判別手段１２より制御用マイコン１に入力される。これにより、制御用マイコン１が操作部１１に対する操作の内容を判別するようにされている。そして、制御用マイコン１は、電源キー１１ａが操作されると、電源をオンする操作又は電源をオフする操作がされたことを検出する。
【００２１】
上記操作キー１１は、陰極線管表示装置の本体に設けられる操作キー及び前記本体外のリモコンに設けられる操作キーのいずれであってもよい。なお、上記操作キー１１がリモコンに設けられる場合は、操作判別手段１２はリモコンより送信される送信波を受信して操作の内容を判別できるようにされる。
【００２２】
制御用マイコン１は、この陰極線管表示装置をテレビ受像機として動作させるための各種の制御を行う。制御用マイコン１は、特に図示しないＣＰＵ（中央処理装置）やＲＯＭ（読み出し専用メモリ）やＲＡＭ（読み書き可能メモリ）を備えている。
【００２３】
ＲＯＭには、この陰極線管表示装置の動作を制御するための制御プログラムが格納されている。この制御プログラムは、後に説明する電源をオン、オフする操作に伴う制御の手順を内容とする部分を含んでいる。
【００２４】
また、制御用マイコン１には、特に図示しないＥ２ＰＲＯＭ等の外部メモリが接続されている。また、制御用マイコン１は、特に図示しないＩ２Ｃインターフェースを備えている。
【００２５】
また、制御用マイコン１は、データ通信バス１０により後に説明する映像信号処理回路２と接続されている。データ通信バス１０は、ディジタルデータの送受信に用いられ、ディジタルデータ伝送路にあたる。そして、制御用マイコン１は、データ通信バス１０を介して、動作指示データを映像信号処理回路２に送信する。
【００２６】
データ通信バス１０は、図１に示される例では、Ｉ２Ｃ（ＩＮＴＥＲ−ＩＮＴＥＧＲＡＴＥＤ  ＣＩＲＣＵＩＴ）バス通信に基づくデータ通信に対応できるようにされている。データ通信バス１０は、シリアルデータを伝送するためのデータ伝送路１０ａと、クロックパルスを伝送するためのクロック伝送路１０ｂを備えている。
【００２７】
映像信号処理回路２は、後に説明する陰極線管７の画面に出力する画像の内容に応じた色信号（Ｒ、Ｇ、Ｂ）を形成し、この色信号を色信号増幅回路３に出力する。
【００２８】
映像信号処理回路２は、図示されない経路より入力された映像信号を色信号に変換する処理を行う。また、映像信号処理回路２は、後に説明するように、制御用マイコン１より入力信号として動作指示データが入力されると、この動作指示データに基づいて色信号を形成する。
【００２９】
映像信号処理回路２は、データ入力端子２ａとクロック入力端子２ｂを備えている。データ入力端子２ａはデータ通信バス１０のデータ伝送路１０ａと接続される。クロック入力端子２ｂはデータ通信バス１０のクロック伝送路１０ｂと接続される。
【００３０】
データ入力端子２ａには、映像信号処理回路２の動作の内容を表す動作指示データが制御用マイコン１より入力される。クロック入力端子２ｂには、制御用マイコン１よりクロックパルスが入力される。
【００３１】
そして、制御用マイコン１は、クロック入力端子２ｂに入力されたクロックパルスの受信に応じて、映像信号処理回路２が動作指示データを受信したか否かを検出する。
【００３２】
映像信号処理回路２は、制御用マイコン１より画面全体を白色に表示することを内容とする第一の動作指示データが入力されると、陰極線管７に白色背景画像を出力するための色信号（Ｒ、Ｇ、Ｂ）を形成する。この白色背景画像は、画面全体を白色に表示することを内容とする画像である。
【００３３】
この映像信号処理回路２は、公知の映像信号処理回路によって構成することができ、特定のビデオクロマＩＣを備える回路によって構成することができる。ビデオクロマＩＣは、一般にビデオ信号とクロマ信号を処理する集積回路である。
【００３４】
そして、特定のビデオクロマＩＣとして、制御用マイコン１より前記第一の動作指示データが入力されると、陰極線管７の画面に白色背景画像を表示するための要素となる色信号（Ｒ、Ｇ、Ｂ）を生成するものが用いられる。
【００３５】
この特定のビデオクロマＩＣにより映像信号処理回路２を構成するにあたり、そのデータ入力端子が前記データ伝送路１０ａに接続され、そのクロック入力端子が前記クロック伝送路１０ｂに接続される。
【００３６】
そして、この特定のビデオクロマＩＣは、１バイト（８ビット）で構成されるシリアルデータの各ビットの状態（「Ｈｉｇｈ」、「Ｌｏｗ」）により表示色や輝度を表す動作指示データを与えて動作させることができる。
【００３７】
なお、前記特定のビデオクロマＩＣは、マイコンで制御されるテレビ受像機の分野において公知である。そして、本発明を実施するにあたり、この公知の特定のビデオクロマＩＣを用いることができる。
【００３８】
また、映像信号処理回路２は、ＡＣＬ（オート・コントラスト・リミッター）を備えている。ＡＣＬは、陰極線管７に画像を表示させる際の輝度を一定の上限値より低い範囲に抑制するように動作する。即ち、このＡＣＬによって、陰極線管７のアノード電流が予め設定された値を超えることがないように制御される。
【００３９】
そして、陰極線管７に表示させる輝度を抑制したくない場合にはＡＣＬによる輝度抑制動作を緩和させる。ＡＣＬによる輝度抑制動作を緩和すると、陰極線管７の画面に表示する輝度（明るさ）を最大にすることができ、また画面のコントラストを最大にすることもできる。
【００４０】
このＡＣＬは制御用マイコン１によって制御される。即ち、制御用マイコン１より映像信号処理回路２に第二の動作指示データが入力されると、ＡＣＬは輝度抑制動作を緩和するように制御される。
【００４１】
また、第三の動作指示データを映像信号処理回路２に入力することにより、陰極線管７に画像を出力する明るさを最大にできる。また、第四の動作指示データを映像信号処理回路２に入力することにより、陰極線管７に画像を出力するコントラストを最大にすることができる。
【００４２】
また、映像信号処理回路２は、その内部で発生する垂直同期信号及び水平同期信号を動作のタイミングの基準としている。そして、映像信号処理回路２より出力された色信号に基づく画像を陰極線管７の画面に出力するにあたり、陰極線管７の電子ビームを垂直方向（上下方向）に走査するタイミングは、垂直同期信号が基準となる。
【００４３】
また、映像信号処理回路２より出力された色信号に基づく画像を陰極線管７に出力するにあたり、陰極線管７の電子ビームを水平方向（横方向）に走査するタイミングは水平同期信号が基準となる。
【００４４】
また、映像信号処理回路２より出力された垂直同期信号及び水平同期信号は制御用マイコン１に入力されるようにされており、制御用マイコン１は垂直同期信号及び水平同期信号が出力されるタイミングを検出する。
【００４５】
色信号増幅回路３は、色信号（Ｒ、Ｇ、Ｂ）の増幅を行う。即ち、色信号増幅回路３は、映像信号処理回路２より入力された色信号を増幅し、増幅した色信号を陰極線管７に出力する。
【００４６】
高圧発生回路５は、陰極線管７のアノードに印加する高電圧を出力する。高圧発生回路５より出力される高電圧により、陰極線管７に設けられる電子銃より出射された電子ビームを加速し、加速させた電子ビームが陰極線管７の画面に衝突して発光することにより画像が形成される。
【００４７】
そして、陰極線管７に画像を表示するにあたり、前記電子ビームが色信号増幅回路３より入力された色信号に基づいて画面の垂直方向及び水平方向に沿って走査され、電子ビームが走査された画面上の軌跡によって画像が形成される。また陰極線管７の画面上の各画素が、入力された色信号の情報に基づき特定の色に発色する。
【００４８】
なお、前記電子ビームは、図示しない垂直偏向コイルが発生する磁界により縦方向に順次に上から下（又は下から上）に向かって垂直方向に走査される。垂直偏向コイルの動作は、映像信号処理回路２より出力される垂直同期信号によって制御される。
【００４９】
また、前記電子ビームは、図示しない水平偏向コイルが発生する磁界により横方向に順次に左から右（又は右から左）に向かって水平方向に走査される。水平偏向コイルの動作は、映像信号処理回路２より出力される水平同期信号によって制御される。
【００５０】
また、前記陰極線管７に備わる電子銃は、陰極線管７に設けられる図示されないヒータによって加熱される。そして、このヒータは、電源オンされると電源回路８により動作電圧が供給され、電子銃を加熱する。
【００５１】
そして、ヒータに一定電圧値以上の動作電圧が供給されて一定時間が経過すると、前記電子銃は安定して電子ビームを出射できる状態となる。そして、陰極線管７は、電子銃が安定して電子ビームを出射する状態となると定常動作状態となり、画面への画像の出力を安定して行える状態となる。
【００５２】
前記陰極線管７の電子銃を加熱するためのヒータは、一般に定常動作状態の動作電圧として６．０〜６．３Ｖ（ボルト）の電圧が供給される。そして、このヒータは、前記定常動作状態の動作電圧が前記一定時間として２秒印加されると、安定して加熱できる状態となる。
【００５３】
この電子銃を加熱するヒータを電源回路８のフライバックトランス（ＦＢＴ）に接続し、該ヒータにフライバックトランスより動作電圧を供給することができる。そして、このフライバックトランスよりヒータに出力される電圧の電圧値を映像信号処理回路２によって検出するようにできる。
【００５４】
フライバックトランスより出力された電圧の電圧値を映像信号処理回路２によって検出するにあたり、公知のビデオクロマＩＣで採用される信号処理の技術を採用することができる。
【００５５】
即ち、テレビ受像機の技術分野において、電源回路のフライバックトランスよりヒータに供給される電圧をビデオクロマＩＣで検出することは公知である。そして、映像信号処理回路２においてヒータに供給される電圧を検出するにあたり、ビデオクロマＩＣで採用される公知の信号処理の技術を用いることができる。
【００５６】
そして、フライバックトランスよりヒータに供給された電圧の電圧値は、映像信号処理回路２より制御用マイコン１に入力することにより、制御用マイコン１によって検出することができる。
【００５７】
また、図１に示される陰極線管表示装置は、電源回路８より動作電力が供給される。即ち、制御用マイコン１、白色背景表示回路２、色信号増幅回路３、高圧発生回路５及び陰極線管７等を動作させる電力は電源回路８より供給されるようにされている。そして、電源回路８は、制御用マイコン１によって電源オン（ＯＮ）、オフ（ＯＦＦ）が制御される。
【００５８】
電源回路８は、外部の商用電源より交流電力を供給される。陰極線管表示装置には図示されない電源コードが付設されており、この電源コードを商用電源に接続することにより、電源回路８は交流電力を供給される。
【００５９】
また、電源回路８には、前記電源コードを接続することによって一定の動作電圧を出力する常時出力端子が設けられている。そして、制御用マイコン１は、電源回路８がオフされていても、前記常時出力端子より動作電力を供給されることができる。
【００６０】
なお、以上に説明した陰極線管表示装置は、テレビ受像機として一般的に動作させるための、図１に図示されない他の公知の部材や回路等を備えている。即ち、文字や通常の映像等を表す映像信号に基づき陰極線管７の画面に文字等を表示するためのオンスクリーン表示回路（ＯＳＤ回路）等の回路を備えている。これらのオンスクリーン表示回路等は、制御用マイコンによって制御されるテレビ受像機に設けられる公知の回路である。
【００６１】
以上に説明した本発明の陰極線管表示装置を動作させる例について、図２に基づいて説明する。図２は、陰極線管表示装置の動作の手順を示すフローチャートである。
【００６２】
まず、陰極線管表示装置の電源コードを商用電源に接続すると、電源回路８より制御用マイコン１に動作電力が供給される。これにより、制御用マイコン１が動作を開始し、制御プログラムの実行が開始される（Ｓ１）。
【００６３】
そして、電源キー１１ａによる電源オンする操作がされたか（ＰＯＷＥＲ  ＯＮ（パワーオン）受信）どうかを制御用マイコン１が検出し（Ｓ２）、電源オンする操作がされたことを検出するまで待機する（Ｓ２、ＮＯ）。
【００６４】
そして、Ｓ２において、電源オンする操作を検出すると（Ｓ２、ＹＥＳ）、陰極線管７の電子銃を加熱するヒータに印加される電圧を監視する（Ｓ３）。次に、制御用マイコン１は、電源キー１１ａによる電源オフする操作がされたか（ＰＯＷＥＲ  ＯＦＦ（パワーオフ）受信）どうかを検出し（Ｓ４）、電源オフする操作がされたことを検出するまで待機する（Ｓ４、ＮＯ）。
【００６５】
次に、Ｓ４において、制御用マイコン１は、電源オフする操作を検出すると（Ｓ４、ＹＥＳ）、ヒータに印加されている動作電圧が電圧値及び時間ともに一定の閾値以上にあるか否か、即ちヒータに一定電圧値以上の電圧が印加されてから一定の時間が経過したか否か検出する（Ｓ５）。
【００６６】
Ｓ５において、ヒータの動作電圧が一定の閾値以上にあることを検出した場合（Ｓ５、ＹＥＳ）、映像信号処理回路２を動作させる適切なタイミングであるか否かを映像信号処理回路２より出力される垂直同期信号のタイミングに基づいて検出する（Ｓ６）。Ｓ６において、制御用マイコン１は、映像信号処理回路２を動作させる適切なタイミングであることが検出されるまで待機する（Ｓ６、ＮＯ）。
【００６７】
そして、適切なタイミングであることを検出すると（Ｓ６、ＹＥＳ）、制御用マイコン１より第一の動作指示データ、第二の動作指示データ、第三の動作指示データ、第四の動作指示データを出力し、映像信号処理回路２を画面全体に白を出力する白色背景画像を表示させるよう動作させるとともに、輝度（ＢＲＩＧＨＴ）及びコントラスト（ＣＯＮＴＲＡＳＴ）を最大にする（Ｓ７）。これにより、輝度及びコントラストが最大とされた白色背景画像が、陰極線管７の画面に出力される。
【００６８】
次に、映像信号処理回路２を、水平同期信号の水平パルス及び垂直同期信号の垂直パルスの生成を停止させるように制御する（Ｓ８）。次に、Ｓ７で行った処理、即ち映像信号処理回路２を白色背景画像を出力させるように動作させる処理を解除する（Ｓ９）。そして、映像信号処理回路２の動作を停止させた（Ｓ１０）後に、電源回路８を停止させて電源パワーオフを行う（Ｓ１４）。
【００６９】
一方、前記Ｓ５において、ヒータに印加されている動作電圧について、電圧値及び時間ともに閾値に達していない場合（Ｓ５、ＮＯ）、映像信号処理回路２を陰極線管７に表示する色信号（Ｒ、Ｇ、Ｂ）の出力のレベルを同期信号レベル（ペデスタルレベル）まで落とすように制御し、輝度（ＢＲＩＧＨＴ）及びコントラスト（ＣＯＮＴＲＡＳＴ）を最小値とするように制御する（Ｓ１１）。このＳ１１における映像信号処理回路２の出力の最小レベルである同期信号レベルは、ペデスタルレベルとも呼ばれる。
【００７０】
次に、映像信号処理回路２を、水平同期信号の水平パルス及び垂直同期信号の垂直パルスの生成を停止するように制御する（Ｓ１２）。次に、Ｓ１１で行った処理、即ち映像信号処理回路２をペデスタルレベルとするように動作させる処理を解除する（Ｓ１３）。そして、映像信号処理回路２の動作を停止（Ｓ１０）させた後に、電源回路８を停止させ電源パワーオフを行う（Ｓ１４）。
【００７１】
以上に説明した手順によると、Ｓ４において電源オフする操作があったことを検出し、Ｓ５において陰極線管７が定常動作状態にあることを検出すると、Ｓ７において陰極線管７の画面に白色背景画像を出力させた後に、Ｓ１４において電源オフしている。
【００７２】
これにより、陰極線管７に蓄えられていた電荷をアノード電流として放電させた後に電源をオフすることができる。これにより、前記陰極線管７の電荷を放電させた後に電源オフするので、陰極線管７のスポット残りの発生を防止することができる。
【００７３】
また、以上のＳ７の手順では、前記白色背景画像を出力するにあたり、輝度及びコントラストを最大にしている。これにより、陰極線管７の電荷をより確実に放電させることができ、スポット残りの発生をより確実に防止できる。
【００７４】
これにより、スポット残りが発生することにより視聴者に不快な印象を与えることを防ぐことができ、またスポット残りの発生による陰極線管の画面の焼き付けを防ぐこともできる。
【００７５】
また、以上の手順では、Ｓ６において垂直同期信号のタイミングを検出してから、Ｓ７において映像信号処理回路２を白色背景画像を出力させるように動作させている。
【００７６】
これにより、白色背景画像を表す色信号を、陰極線管７の画面の垂直方向（上下方向）に沿って電子ビームが走査されるタイミングに合わせて映像信号処理回路２及び色信号増幅回路３より陰極線管７に出力させることができる。これにより、陰極線管７の画面の上端部又は下端部に白色背景画像を出力することができ、陰極線管７の画面における視聴者の視界に入らない領域に白色背景画像を出力することができる。
【００７７】
また、以上のＳ５において、陰極線管７の電子銃を加熱するヒータの動作電圧が一定の閾値に達していないことを検出した場合（Ｓ５、ＮＯ）は、陰極線管表示装置が電源オンされてから一定時間が経過しておらず定常動作状態に至っていない場合である。そして、この場合には、以上に説明したように、映像信号処理回路２をペデスタルレベルで動作させるように制御する（Ｓ１１）。
【００７８】
即ち、陰極線管表示装置が電源オンされた直後の定常動作状態に至る前に電源オフする操作がされた場合には、陰極線管７に白色背景画像を出力させることなく、映像信号処理回路２をペデスタルレベルとして動作させて電源オフするようにしている。
【００７９】
これにより、陰極線管７が定常動作状態となっていない場合に、映像信号処理回路２を白色背景画像を出力させるように動作させることなく、簡易な制御により速やかに電源オフさせることができる。
【００８０】
また、以上に説明した陰極線管表示装置によると、制御用マイコン１と映像信号処理回路２とデータ通信バス１０とを接続し、データ通信バス１０を介して制御用マイコン１により映像信号処理回路２を制御することによって、スポット残りを防ぐことができる。これにより、特別な回路を設けることなく、簡易な構成によってスポット残りを防ぐことができる。
【００８１】
そして、制御用マイコン１が表示色を内容とする動作指示データを映像信号処理回路２に出力することによって陰極線管７に白色背景画像を出力させることができるので、簡易な制御の手順によってスポット残りを防ぐことができる。
【００８２】
そして、制御用マイコン１が映像信号処理回路２を直接に制御して白色背景画像を出力させるので、陰極線管７に白色背景画像を出力する制御を速やかに行うことができる。
【００８３】
これにより、視聴者により電源キー１１ａの操作によって電源オフする操作がされてから、実際に電源回路８による電源をオフして停止させるまでの時間を短くすることができる。
【００８４】
これにより、視聴者が陰極線管７の画面を見ながら電源オフする操作した後、画面が完全に停止するまでの時間を短くできる。これにより、視聴者が電源オフする操作をしてから画面が完全に停止するまで不愉快に待機させられることなく、視聴者に心地良い印象を与えることができる。
【００８５】
なお、以上の説明では、データ通信バス１０としてＩ２Ｃ通信バスを用い、制御用マイコン１がＩ２Ｃバス通信に基づいて映像信号処理回路２に動作指示データを送信する例を挙げて説明した。
【００８６】
本発明を実施するにあたり、Ｉ２Ｃバス通信以外のバス通信に基づく方式により実施することもできる。また、本発明は、バス通信以外であっても、ディジタルデータを通信する方式に基づき実施することができる。
【００８７】
即ち、本発明を実施するにあたり、制御用マイコンと映像信号処理回路がディジタルデータを通信できるディジタルデータ伝送路を介して直接に接続され、制御用マイコンよりディジタルデータとしての動作指示データを映像信号処理回路に送信し、陰極線管７に白色背景画像を出力させることができればよい。
【００８８】
【発明の効果】
以上説明したように、本発明の陰極線管表示装置によると、電源オフする操作がされると、制御用マイコンが、陰極線管に白色背景画像を出力させるように映像信号処理回路を動作させた後に電源オフする制御を行う。これにより、回路の構成や制御用マイコンの制御の手順を複雑にすることなく、スポット残りの発生を防ぐことができる。
【００８９】
そして、本発明の陰極線管表示装置によると、電源オンされた直後の定常動作状態に至っていない状態で電源オフする操作がされると、前記白色背景画像を出力する処理を行うことなく、簡易な処理によって速やかに電源オフされる。
【図面の簡単な説明】
【図１】本発明の一実施形態にかかる陰極線管表示装置のブロック図である。
【図２】陰極線管表示装置を動作させる手順を示すフローチャートである。
【符号の説明】
１    制御用マイコン
２    映像信号処理回路
２ａ  データ入力端子
２ｂ  クロック入力端子
３    色信号増幅回路
５    高圧発生回路
７    陰極線管
８    電源回路
１０    データ通信バス
１０ａ  データ伝送路
１０ｂ  クロック伝送路
１１    操作キー
１１ａ  電源キー
１２    操作判別手段
【図１】
2004289653.tif 000003
【図２】
2004289653.tif 000004